(57)【要約】【課題】複数の照明モジュールの一部を重ねることによって任意のサイズの照明領域を作製する照明システムにおいて、重なり部分に生じる輝度ムラを抑える。【解決手段】導光板を備えた照明モジュールの背面シャーシにおいて、他の照明モジュールと重ねる部分に、背面側からの光を通過させる構造を有する。【選択図】  図３
2015015131.tif 000002
【特許請求の範囲】
【請求項１】
光源を配設した光源基板と、
前記光源基板と対向した入光面を有し、前記光源からの光を内部で拡散して前面側に出射させる導光板と、
前記導光板を背面側で保持する背面シャーシと、
を備える照明モジュールにおいて、
前記背面シャーシは、前記導光板の前記入光面を除く少なくとも一つの側面近傍において、背面側からの光を通過させるものであることを特徴とする照明モジュール。
【請求項２】
前記背面シャーシは、前記側面近傍において、該導光板に対して短くなっていることを特徴とする、請求項１に記載の照明モジュール。
【請求項３】
前記背面シャーシは、前記側面近傍において、背面側に９０度から１８０度曲がっていることを特徴とする、請求項２に記載の照明モジュール。
【請求項４】
前記導光板は、前記側面において、該導光板の内部から側面方向への出射光量を調整する輝度調整部材が設けられていることを特徴とする、請求項１から３のいずれか一項に記載の照明モジュール。
【請求項５】
請求項１から４のいずれか一項に記載の第１の照明モジュールと、
前記第１の照明モジュールと一部が重なるように、該第１の照明モジュールの背面側に設けられた第２の照明モジュールと、
を有する照明システムであって、
前記第１の照明モジュールの前記背面シャーシは、該第１の照明モジュールと該第２の照明モジュールが重なる部分において、背面側からの光を通過させるものであることを特徴とする照明システム。
【発明の詳細な説明】
【技術分野】
【０００１】
本発明は、複数を組み合わせて用いる照明モジュールおよび、照明モジュールを複数組み合わせることによって作製される照明システムに関する。
【背景技術】
【０００２】
電飾看板のように、印刷物などの被照明体を背後から照明するために用いる照明システムが知られている。従来の照明システムでは、バックライトとして蛍光管が使用されていたが、省エネルギー化等の要請から、蛍光管に代わり、ＬＥＤ（Light Emitting Diode）を光源としたものへの需要が増大している。また、このような照明システムでは、駅構内や百貨店などのように、遠くからでも人目を引き付けるようにするために、大画面化の要請も増大している。
【０００３】
照明システムの構成としては、導光板を用いたエッジライト方式のものがある。エッジライト方式では、拡散板の直下に光源を配置する直下型の方式に比べて照明システムの厚さを薄くすることができ、薄型化を促進する点で有利である。また、導光板の上下両側、あるいは左右両側に光源を配置した所謂２辺エッジ方式の照明システムだけでなく、導光板の上下、あるいは左右のいずれか１方側に光源を配置した所謂１辺エッジ方式の照明システムも多く用いられている。
【０００４】
ＬＥＤを用いたエッジライト方式による照明システムは、複数のＬＥＤが、その発光部が導光板の側端面と対向するように、光源基板上に線状に配置される。ＬＥＤは、一般に色純度が高く、調光安定性や高速応答性に優れている等からバックライト光源として多く用いられている。
【０００５】
光源基板上の各ＬＥＤから出射した光は、導光板の入射面である側端面から導光板の内部に入光し、導光板の内部で拡散しながら導光され、前面側（被照明体側）の出射面から出射する。通常、導光板の背面側（被照明体と反対側）には反射シートが設置され、導光板の背面側の面から漏れ出た光を反射させて前面側に戻し、光の利用効率を高める。被照明体は、例えばアクリル板などの拡散板の表面に印刷シートを貼り付けたものであり、印刷シートの印刷内容は、背後から照明される。
【０００６】
図１６に示したように、特許文献１に記載の液晶パネルのバックライト１０２は、それぞれ導光板１１３を有する複数のバックライトユニット１１０を、平面状に並べるように配置して形成されている。その前面側には、バックライト１０２側から順に、透明アクリル板１０４、拡散板１０５、液晶パネル１０３が配置されている。
【先行技術文献】
【特許文献】
【０００７】
【特許文献１】特開２００４−２６５６３５号公報
【発明の概要】
【発明が解決しようとする課題】
【０００８】
電飾看板などに用いられる照明システムは、そのサイズの量産規格が規定されているわけではない。したがって、個々の照明システムごとに個別設計を行う必要があり、コスト面等での負担が大きくなってしまう。
【０００９】
先行文献１においては、平面状に並べるバックライトユニット１１０の縦横の組み合わせ枚数を変えることで様々な大きさのバックライト１０２を作製することが記載されているが、この方法で作製できるバックライトの大きさは、バックライトユニットの大きさの整数倍のものに限られる。
【００１０】
そこで、さらに細かなサイズの要求に応えるため、規格化されているサイズの照明モジュールを複数使用し、サイズが超過する場合には、複数の照明モジュールの一部を重ねることで、全体として任意のサイズの照明システムを作製することが考えられる。
【００１１】
しかしながら、複数の照明モジュールを重ね合わせた場合、重ね合わせた領域において、前面側に配置された照明モジュールの導光板を背面側から支えるシャーシの端部が、背面側に配置された照明モジュールの光出射の妨げとなることで、輝度ムラが生じ、表示品位の低下を招いてしまう。
【００１２】
本発明は、上記課題を解決するためになされたものであり、複数の照明モジュールの一部を重ねることによって任意のサイズの照明領域を作製する照明システムにおいて、輝度ムラを抑えることを目的とするものである。
【課題を解決するための手段】
【００１３】
本発明の照明モジュールは、光源を配設した光源基板と、光源基板と対向した入光面を有し、光源からの光を内部で拡散して前面側に出射させる導光板と、導光板を背面側で保持する背面シャーシと、を備える照明モジュールにおいて、背面シャーシは、導光板の入光面を除く少なくとも一つの側面近傍において、背面側からの光を通過させるものであることを特徴とする。
【発明の効果】
【００１４】
本発明によれば、複数の照明モジュールの一部を重ねることによって任意のサイズの照明領域を作製する照明システムにおいて、輝度ムラを抑えることができる。
【図面の簡単な説明】
【００１５】
【図１】本発明の照明モジュールの組み立て構成の一例を示す図である。
【図２】本発明の照明モジュールの、導光板の導光方向に平行な方向の断面図である。
【図３】本発明の照明モジュールを用いた照明システムの正面概略図である。
【図４】本発明の照明システムの、導光板の導光方向に垂直な方向の断面図である。
【図５】本発明に対する比較例の照明システムの、導光方向に垂直な方向の断面図である。
【図６】本発明の照明システムにおける輝度分布を示したグラフである。
【図７】比較例の照明システムにおける輝度分布を示したグラフである。
【図８】本発明の照明システムにおける照明モジュールの変形例を示した図である。
【図９】本発明の第２の実施形態に係る照明モジュールを示した図である。
【図１０】本発明の第３の実施形態に係る照明システムの、導光板の導光方向に垂直な方向の断面図である。
【図１１】本発明の第４の実施形態に係る照明システムの、導光板の導光方向に垂直な方向の断面図である。
【図１２】本発明の第５の実施形態に係る照明システムの、導光板の導光方向に垂直な方向の断面図である。
【図１３】本発明の第６の実施形態に係る照明システムの、導光板の導光方向に垂直な方向の断面図である。
【図１４】本発明の第７の実施形態に係る照明システムの、導光板の導光方向に垂直な方向の断面図である。
【図１５】本発明の第８の実施形態に係る照明システムの断面図である。
【図１６】特許文献１に記載のバックライトを示した図である。
【発明を実施するための形態】
【００１６】
（第１の実施形態）
図１は、本発明に係る単体の照明モジュール１０の組み立て構成の一例を示す図である。
【００１７】
照明モジュール１０は、光源となるＬＥＤ１５を配列した光源基板１４と、光源基板１４からの光を導光する導光板１３と、導光板１３を支持する背面シャーシ１１と、導光板１３の背面側に貼り付けられた反射シート１２を有する。背面シャーシ１１、反射シート１２、導光板１３はこの順に背面側から積層して配置されており、導光板１３の前面側から出射した出射光によって、被照明体を照射する。
【００１８】
光源基板１４は、導光板１３の一端の側面近傍に配置される。光源基板１４のＬＥＤ１５としては、１つのＬＥＤで白色を発光する白色ＬＥＤや、ＲＧＢの個々の単色光を発光するＬＥＤを用いることができる。白色ＬＥＤは低コストで、必要とするＬＥＤの個数の関係からトータルの消費電力を抑えることができる等の利点がある。ＲＧＢの単色発光のＬＥＤでは、広い色域性能が得られる。
【００１９】
なお、以降の説明においては、光源基板１４が延びる方向をｘ、光源基板１４に垂直かつ導光板１３の導光方向である方向をｙ、ｘとｙに垂直で、背面シャーシ１１、反射シート１２、導光板１３の積層する方向をｚとする。また、ｚ方向の正の方向を前面、負の方向を背面と呼ぶものとする。
【００２０】
導光板１３は、アクリル樹脂やポリカーボネート樹脂、シクロオレフィン系樹脂（ＣＯＰ）などの材料で作製され、例えば３ｍｍ程度の厚みを有した平板状に形成されている。また、導光板１３の大きさは、縦４７４ｍｍ、横１０３６ｍｍであるものとするが、これに限られるものではない。なお、導光板１３の４つの側面のうち、光源基板１４と対向し、入光面として働く側面を側面１３Ｄ、側面１３Ｄの逆側の側面を側面１３Ｕとし、それ以外の側面を側面１３Ｌ、側面１３Ｒと呼ぶものとする。また、導光板１３の前面側は、出射面１３Ｅと呼ぶものとする。
【００２１】
ＬＥＤ１５が発光した光は、導光板１３の端部の側面１３Ｄから入射し、導光板１３で拡散しながら導光され、導光板１３の出射面１３Ｅから出射することで、その出射面の前面側に置かれた被照明体を照明することができる。ＬＥＤ１５が配置されていない導光板１３の他の側面に対しては、漏れ光による輝度ムラ等を抑えるために反射テープや遮光テープ等を貼付してもよい。
【００２２】
また、導光板１３の背面側の反射シート１２は、導光板１３の背面から漏れ出た光を反射させて前面側に戻し、光の利用効率を高める。反射シート１２としては、例えば微発泡のＰＥＴシートが用いられる。
【００２３】
背面シャーシ１１は、金属板などにより形成される。背面シャーシ１１に剛性を付与するために、凹凸の絞り加工を付与したり、補助金具等を取り付けたりしてもよい。背面シャーシ１１の端部は、光源基板１４を取り付けるように曲折され、その部分には、反射シート１２及び導光板１３を固定するベゼル１６が取り付けられる。
【００２４】
図２は、本発明による照明システムを構成する単体の照明モジュール１０における、ｘ方向に垂直な断面を示す図である。
【００２５】
導光板１３及び反射シート１２は、金属板などにより形成された背面シャーシ１１に位置決めされている。なお、照明モジュール１０は、輝度制御等を行う電源ドライバ（図示せず）も有しており、電源ドライバは光源基板１４と接続されている。
【００２６】
図３は、本発明の照明システム１の正面概略図である。
【００２７】
本実施形態においては、上述したような単体の照明モジュール１０ａ、照明モジュール１０ｂを２つ組み合わせて、所定の照明領域を持った照明システム１を構成する。なお、照明モジュール１０ａ、１０ｂは、上記図１に示した照明モジュール１０と基本的に同じ構造を有するものであるが、以降説明するように、特に照明モジュール１０ａは、背面シャーシにおいて、輝度ムラを防ぐ構造となっている。また、以降の説明においては、照明モジュール１０ａ、１０ｂの各部材については、符号の末尾にそれぞれａ、ｂを付して説明する。
【００２８】
図３に示すように、照明システム１は、二つの照明モジュール１０ａ、１０ｂの一部を前後方向に重ね合わせて作製される。これにより、２つの導光板１３ａ、１３ｂの出射面から光が出射し、広い領域で被照明体を照明することができる。その照明領域の面積は、重ね合わせ面積を大きくすることにより小さく、重ね合わせ面積を小さくすることにより大きくというように、重ね合わせ面積を変化させることで、任意に決定することができる。
【００２９】
なお、図３においては、照明システム１の全体の厚さを抑えるため、厚さのあるベゼル１６ａ、１６ｂの部分を上下互い違いになるように設けている。
【００３０】
図４は、本発明の照明システム１のｙ方向の中心部における、ｙ方向に垂直な断面を示す図である。
【００３１】
本実施形態においては、照明モジュール１０ａと１０ｂは一定の間隔を空けて設けているが、これに限られるものではなく、照明モジュール１０ａと１０ｂが接触するように設けてもよい。
【００３２】
前面側の照明モジュール１０ａの背面シャーシ１１ａは、ｘ方向、すなわち光源基板１４と平行な方向における端部の側面近傍の重ね合わせ部分において、導光板１３ａに対してやや短くなっている。これにより、背面シャーシ１１ａに対して、導光板１３ａの一部が背面側に露出し、背面側からの光を通過させることができるようになる。この露出の幅は、用いる導光板の光取り出しパターンや、照明モジュール１０ａと照明モジュール１０ｂとのｚ方向間距離により決定される。導光板の光取り出しパターンや、照明モジュール１０ａと照明モジュール１０ｂとのｚ方向間距離が決定すれば、ｘ方向での重なり幅の調整は光学的に可能であり、任意に決定できる。そのため、照明システム１は任意のサイズに対応可能となる。
【００３３】
なお、背面シャーシ１１ａを短くすることは、例えば、背面シャーシ１１ａを切る、削る、曲げる等の加工によって実現することができる。また、背面シャーシ１１ａが導光板に対して短くなっている部分においては、導光板１３ａの背面側に反射シート１２ａは設けられず、背面側からの光を通過させるようになっている。
【００３４】
導光板１３ａの背面の大部分は背面シャーシ１１ａに覆われており、導光板１３ａが露出する部分は導光板全体からするとごく一部分である。導光板はある程度の剛性があるため、導光板１３ａの背面の一部が背面シャーシ１１ａに保持されておらず、導光板が露出した部分においても、導光板１３ａが背面側に撓むようなことはない。
【００３５】
なお、露出させる部分の幅は上記の例に限られず、露出させない部分を含めた全体の幅の１０％以下であれば、導光板が撓むといった問題は一般に生じない。また、導光板の剛性が強い場合や、照明モジュールを鉛直方向に立てて使用する場合等においては撓みを気にする必要がないため、全体の幅の１０％よりも大きく露出させることもできる。
【００３６】
また、他の照明モジュールと重ねる側端部が複数ある場合には、各側端部の近傍において、例えばそれぞれ１０％以下の導光板の露出部を設けるようにすればよい。
【００３７】
図５は、本発明との比較例として、前面側の照明モジュール２１０ａにおいて、背面シャーシ２１１ａを導光板２１３ａと同じ幅だけ設け、導光板２１３ａを背面側に露出させないようにした照明システム２０１を示したものである。
【００３８】
このような場合、照明モジュール２１０ａと照明モジュール１０ｂが重なっている位置付近において、背面側の照明モジュール１０ｂから出射された光の一部は、図５内の矢印で示したように、照明モジュール２１０ａの背面シャーシ２１１ａで反射し、前面側の被照明体を照らすことができない。したがって、照明モジュールが重なる位置付近においては光の利用効率が悪いために暗くなってしまい、その他の場所との輝度差によって輝度ムラが発生する。
【００３９】
これに対して、図４に示したように、照明モジュールが重なる部分の背面シャーシ１１ａの一部を短くして、導光板１３ａを露出させるようにすると、図５の比較例の説明において背面シャーシに反射していた一部の光が導光板１３ａを通過するようになるため、重なる部分付近においての輝度低下が抑えられ、輝度ムラを抑制することができる。
【００４０】
図６は、本発明に係る照明システム１によって照らされた被照明体に関して、照明モジュールの重なり部分付近の輝度値の分布を示したものである。図７は、本発明との比較例として、照明システム２０１による、重なり部分の輝度値の分布を示したものである。なお、図６および図７は、いずれも導光板１３をｙ方向に二等分した断面における輝度分布を示したものであり、縦軸は輝度Ｌｖ（ｃｄ／ｍ２）、横軸はｘ方向のシャーシ位置を示す。
【００４１】
また、図６および図７に示した例においては、照明モジュール１０ａは、導光板１３ａの重なり部分の側面において、反射シート１８および遮光シート１７を有している。輝度調整部材としての反射シート１８には微発泡のＰＥＴシートなどが用いられ、導光板１３ａ、２１３ａのＹ方向に延びる側面（図１における側面１３Ｌ、１３Ｒに相当）と同じ幅、同じ長さで導光板１３ａ、２１３ａの側面を塞いでいる。このようにすることで、側面から出射しようとする光を導光板１３ａ、２１３ａの内部に戻すことで、光の利用効率を上げることができる。また、反射シート１８の外側にさらに遮光シート１７を貼り付けることで、導光板１３ｂからの光が反射シート１８に反射されて白く光ることを抑制してもよい。遮光シートとしては、例えば、０．０５ｍｍの黒色のポリエステルフィルムを使用する。これらの反射シート１８や遮光シート１７は、照明モジュールを重ねた領域の輝度を大きく変化させるものではない。また、輝度調整部材としての反射シート１８の代わりに、半透過など、少量の透過を行うことで光量を調整するようなシートを用いてもよい。さらには、遮光シート１７を輝度調整部材として用いてもよい。
【００４２】
また、背面側の照明モジュール１０ｂは、前面側の照明モジュール１０ａや２１０ａに比べて、被照明体との距離が大きいため、被照明体のうち、照明モジュール１０ｂが照らす部分は照明モジュール１０ａや２１０ａが照らす部分に比べ、全体的に暗くなる。そこで、照明モジュール１０ｂが照明モジュール１０ａや２１０ａと比べて明るく光るように、各照明モジュールの光出力を変更する。具体的には、例えば、照明モジュール１０ａや２１０ａに対しては１００ｍＡ、５２Ｖで制御し、照明モジュール１０ｂに対しては１５５ｍＡ、５２Ｖで制御する。これによって、各照明モジュールと被照明体との距離が異なることによって照明モジュール単位で生じる輝度ムラを防ぐことができる。
【００４３】
図７に示したように、比較例に係る照明システム２０１の輝度分布においては、前述の通り、両モジュールが重なる部分において、大きな輝度の低下が生じている。具体的には、モジュールが重なっていない部分の輝度がおよそ３９０ｃｄ／ｍ２であるのに対し、重なっている部分の輝度の最小値はおよそ２９０ｃｄ／ｍ２となっている。
【００４４】
一方、図６に示したように、本発明に係る照明システム１の輝度分布においては、重なり部分における輝度の低下が、比較例に比べて小さくなっている。具体的には、モジュールが重なっていない部分の輝度がおよそ３９０ｃｄ／ｍ２であるのに対し、重なっている部分の輝度の最小値はおよそ３２０ｃｄ／ｍ２となっている。
【００４５】
輝度値のピークとボトムの差の、ピーク値に対する割合は、人間が輝度ムラを認識しづらくなる２０％程度以下にすることが望ましい。比較例においては、ピークとボトムの差のピーク値に対する割合は１００／３９０＝２６％であるが、本実施例においては、７０／３９０＝１８％となっている。
【００４６】
このように、本実施形態の照明モジュールを用いることで、複数の照明モジュールの一部を重ねることによって任意のサイズの照明領域を作製する照明システムにおいて、照明モジュールを重ねた部分における輝度ムラを抑えることができる。
【００４７】
なお、露出部分の大きさを変えることで、これらの輝度差をさらに小さくすることが可能である。
【００４８】
また、導光板１３ａの露出部は、導光板１３ａからの光出射と導光板１３ｂからの光出射により、光が多く出射されていることになるが、導光板１３ｂからの光出射は導光板１３ａ表面での反射などに起因する光損失によって光利用率が１００％よりも低くなるため、上記の暗くなってしまう領域の輝度ムラを軽減する程度であり、明るくなりすぎることはない。
【００４９】
また、図８に示したように、背面側の照明モジュール１０ｂの背面シャーシ１１ｂは、照明モジュールの重なり部分において、照明モジュール１０ａ側にＬ字に曲げて強度を高めることにより、より確実に導光板１３ｂを保持するようにしてもよい。その場合、照明時に熱によって導光板が膨張することを考慮して、Ｌ字部と導光板間に隙間を空けなければならない。一方、背面シャーシ１１ａを、照明モジュールの重なり部分において、前面側にＬ字に曲げると、Ｌ字部と導光板との隙間によって、被照明体を照明しない領域ができる可能性があるため、背面シャーシ１１ａにはＬ字部は設けないようにする。
【００５０】
また、上述の例では、照明システム１は前面側の照明モジュール１０ａと背面側の照明モジュール１０ｂからなるものとしたが、背面側についても照明モジュール１０ａを用いるようにしてもよい。このようにすることで、照明システム１を構成する照明モジュールの種類を１種類とすることができ、コストの低減等の効果を得ることができる。
【００５１】
（第２の実施形態）
図９は、導光板に背面からの光を通過させるようにする別の構造を示した図である。なお、以降の実施形態の説明においては、第１の実施形態で説明したものと同一の部分には同一の符号を付し、説明を省略する。
【００５２】
本実施形態の照明モジュール２０ａにおいては、他の照明モジュールと重ねる部分の側面近傍において、背面シャーシ２１が複数の開口部２１Ｈを有しており、導光板１３に背面方向からの光が通過するようになっている。
【００５３】
なお、図９においては、光源基板１４に対して右側の側面付近に開口部２１Ｈを有するようにしたが、これに限らず、その他の側面付近に開口部を設けるようにしてもよいし、複数の側面付近に開口部を設けるようにしてもよい。
【００５４】
また、開口部２１Ｈの形状は、図９に示したような、比較的大きな長方形の穴が複数空いているようなものに限らず、非常に小さな円形の穴が多数並んでいるようなものであってもよい。また、一つの大きな開口部２１Ｈが設けられているようなものでもよい。
【００５５】
このように、開口部２１Ｈの大きさや形状を変更することで、輝度ムラを抑えるための最適な露出部を構成することができる。また、第１の実施形態での説明と同様に、複数の照明モジュールの一部を重ねることによって任意のサイズの照明領域を作製する照明システムにおいて、輝度ムラを抑えることができる。
【００５６】
なお、背面シャーシに開口部を設ける代わりに、背面シャーシの一部を透明部材とし、背面側からの光を通過させるようにしてもよい。この場合においても、上述のような効果を得ることができる。
【００５７】
（第３の実施形態）
図１０は、照明モジュール１０ａおよび照明モジュール１０ｂの前面側において、被照明体との間に、拡散板３９を有する照明システム３を示した図である。
【００５８】
この拡散板３９によって、照明モジュール１０ａおよび照明モジュール１０ｂからの光が拡散されるため、輝度ムラをより抑えることができる。また、拡散板３９の正面側に、ポスター等の被照明体をそのまま重ねて配置することができるため、複数が重なって段差が生じている照明モジュール上に被照明体を配置する場合と比べ、被照明体の配置を容易に行うことが可能となる。
【００５９】
拡散板３９としては、例えば、スミペックス（登録商標）０３２オパールのような、全光線透過率６０％前後で光線反射率４０％前後のアクリル板を用いることができる。照明システムの薄型化が望まれる場合は、照明モジュール１０ａの前面から２０ｍｍ離れた位置に拡散板３９を配置する。
【００６０】
一方、輝度ムラをより抑えたい場合には、照明モジュール１０ａの前面から２５ｍｍや３０ｍｍなど、２０ｍｍよりも離れた位置に配置する。これにより、光が効率良く拡散され、輝度ムラをより抑えることができる。
【００６１】
また、本実施形態においても、第１の実施形態での説明と同様に、複数の照明モジュールの一部を重ねることによって任意のサイズの照明領域を作製する照明システムにおいて、輝度ムラを抑えることができる。
【００６２】
（第４の実施形態）
図１１は、背面シャーシの端部を曲げた構造を有する照明モジュール４０ａを備える照明システム４を示した図である。
【００６３】
本実施形態における正面側の照明モジュール４０ａは、背面側の照明モジュール１０ｂと重なる部分の側面近傍において、背面シャーシ４１ａの端部を折り曲げている。これにより、照明モジュールの強度を増すことができる。
【００６４】
なお、図１１に示した例では、背面シャーシ４１ａを背面側に１８０度曲げているが、照明モジュール１０ｂから出射する光の進行の妨げとならない９０〜１８０度の範囲であれば、折り曲げる角度は限られない。
【００６５】
曲げ加工の形状としては、例えば、ヘミング形状、カール形状、Ｌ字形状、Ｕ字形状が考えられる。曲げ加工においては、背面シャーシ４１ａが、背面側の照明モジュール１０ｂと接触することのないようにし、照明モジュール４０ａと照明モジュール１０ｂが平行関係を保つようにすればよい。
【００６６】
これにより、露出部の強度を増すことができる。また、第１の実施形態での説明と同様に、複数の照明モジュールの一部を重ねることによって任意のサイズの照明領域を作製する照明システムにおいて、輝度ムラを抑えることができる。
【００６７】
（第５の実施形態）
図１２は、照明モジュールを３つ組み合わせて作製した照明システム５の構造を示す正面図（ａ）および下面図（ｂ）である。
【００６８】
このような照明システムは、背面側に設置用の枠組み（図示せず）を設け、その枠組みに各照明モジュールを設置するといった方法で実現される。
【００６９】
本実施形態では、３つの照明モジュールのうち、中央の照明モジュール１０ａを、両側の照明モジュール１０ｂ、１０ｃの前面側に配置した。このとき、前面側の照明モジュール１０ａの背面シャーシの両側の側面近傍において、導光板を背面側に露出させ、背面側からの光が通過するようにする。
【００７０】
なお、照明モジュールを横方向に４つ以上並べる場合も同様である。このようにすることで、複数の照明モジュールの一部を重ねることによって任意のサイズの照明領域を作製する照明システムにおいて、輝度ムラを抑えることができる。
【００７１】
なお、前記構成とは別に、中央の照明モジュールを、両側の照明モジュールの背面に配置するようにしてもよい。この場合、両側の照明モジュールにおいて、モジュールの重なる側面近傍で、導光板が背面側からの光を通過するように背面シャーシを構成すればよい。
【００７２】
（第６の実施形態）
図１３は、照明モジュールを６つ組み合わせて作製した照明システム６の正面図である。照明モジュール１０ａ〜１０ｃについては、第５の実施形態で説明したものと同様であり、照明モジュール１０ａが照明モジュール１０ｂ、１０ｃよりも前面側に配置される。
【００７３】
また、照明モジュール１０ａ〜ｃと同様に、照明モジュール１０ｄが、照明モジュール１０ｅ、１０ｆによりも前面側に、一部が重なるように配置される。さらに、照明モジュール１０ｄ〜ｆは、照明モジュール１０ａ〜ｃよりも前面側に、一部が重なるように配置される。
【００７４】
なお、照明モジュール１０ｄ〜１０ｆは、照明モジュール１０ａ〜１０ｃよりも前面側に、一部が重なるように配置するものとしたが、これに限られるものではなく、例えば縦方向の輝度ムラが問題とならないのであれば、照明モジュール１０ｄ〜１０ｆと照明モジュール１０ａ〜１０ｃを重ねずに、隣接させるようなものであってもよい。
【００７５】
このようにすることで、複数の照明モジュールの一部を重ねることによって任意のサイズの照明領域を作製する照明システムにおいて、輝度ムラを抑えることができる。
【００７６】
（第７の実施形態）
図１４は、背面側の照明モジュール７０ｂにおいて、導光板を用いたエッジライト型ではなく、直下型の方式を用いた照明システム７を示したものである。
【００７７】
背面側の照明モジュール７０ｂにおいては、背面シャーシ１１ｂの上にＬＥＤ７５が並べられ、正面側に向けて光が照射される。一方、前面側の照明モジュール１０ａにおいては、これまでの実施形態で説明したように、照明モジュールの重なり部分の側面近傍において背面シャーシ１１ａが導光板１３ａに比べて短くなっているものを用いる。
【００７８】
このようにすることで、重なり部分付近において、背面側の照明モジュール７０ｂのＬＥＤ７５から照射された光が、背面シャーシ１１ａが短くなっている部分を通過することができるため、重なっている部分の輝度低下が抑えられ、輝度ムラを防ぐことができる。
【００７９】
すなわち、第１の実施形態での説明と同様に、複数の照明モジュールの一部を重ねることによって任意のサイズの照明領域を作製する照明システムにおいて、輝度ムラを抑えることができる。
【００８０】
（第８の実施形態）
図１５は、第７の実施形態で説明した照明モジュール７０ｂにおいて、ＬＥＤ７５の上部に拡散板８９を設けた照明システム８を示したものである。このようにすることで、ＬＥＤ７５の光を拡散板８９によって拡散することができるため、照明モジュール７０ｂによって照らされる領域の輝度ムラを抑えることができる。なお、本実施形態では光源としてＬＥＤ７５を用いたが、これに限るものではなく、その他の種類の光源を用いてもよい。
【００８１】
このようにすることによって、第１の実施形態での説明と同様に、複数の照明モジュールの一部を重ねることによって任意のサイズの照明領域を作製する照明システムにおいて、輝度ムラを抑えることができる。
【産業上の利用可能性】
【００８２】
以上説明したように、本発明によれば、任意のサイズの照明領域を持つ電飾看板用の照明システムを作製することができる。特に、大型の電飾看板は、設置場所等の制約により、そのサイズは多岐にわたる。そのため、現状では、そのサイズに応じて導光板等の部材を特注で作製し、電飾看板を作製している。この場合、時間等のコストが大幅にかかり、作製できる場所も限られる。本発明を用いることで、現在、市場に大量流通している導光板を、大型の電飾看板に用いることが可能となる。これにより、既に流通している導光板を利用できるため、コストを大幅に削減することができる。また、単体モジュールを予め作製し、設置場所で組み立てることにより、作製場所が限られることもなく、運搬も容易に行うことができる。
【符号の説明】
【００８３】
１、３、４、５、６、７、８  照明システム
１０、１０ａ、１０ｂ、１０ｃ  照明モジュール
１１、１１ａ、１１ｂ  背面シャーシ
１２、１２ａ  反射シート
１３、１３ａ、１３ｂ  導光板
１３Ｄ、１３Ｅ、１３Ｌ、１３Ｒ、１３Ｕ  側面
１４  光源基板、  １５  ＬＥＤ
１６、１６ａ、１６ｂ  ベゼル
１７  遮光シート、  １８  反射シート
２０ａ  照明モジュール、  ２１  背面シャーシ、  ２１Ｈ  開口部
３９  拡散板
４０ａ  照明モジュール、  ４１ａ  背面シャーシ
７０ｂ  照明モジュール、  ７５  ＬＥＤ
８９  拡散板
２０１  照明システム、  ２１０ａ  照明モジュール
２１１ａ  背面シャーシ、  ２１３ａ  導光板
【図１】
2015015131.tif 000003
【図２】
2015015131.tif 000004
【図３】
2015015131.tif 000005
【図４】
2015015131.tif 000006
【図５】
2015015131.tif 000007
【図６】
2015015131.tif 000008
【図７】
2015015131.tif 000009
【図８】
2015015131.tif 000010
【図９】
2015015131.tif 000011
【図１０】
2015015131.tif 000012
【図１１】
2015015131.tif 000013
【図１２】
2015015131.tif 000014
【図１３】
2015015131.tif 000015
【図１４】
2015015131.tif 000016
【図１５】
2015015131.tif 000017
【図１６】
2015015131.tif 000018